(57)【要約】      （修正有）【課題】機器を横置き状態で梱包する場合において、開梱作業を容易とする梱包用パレット体を提供する。また、横置き状態にある機器を移動するときの機器の横振れを規制して作業性を高める。【解決手段】パレット１２と、パレット１２上に設けるベースシート１４と、ベースシート１４上に設ける通常複数の緩衝材１６・１７とを備え、緩衝材１６・１７を介してベースシート１４上に載せて複写機等の機器５０をパレット１２上に載置する。そのような梱包装置を構成する梱包用パレット体１０において、少なくとも１つの緩衝材１６を、固着部分２０と着脱部分２２とに分割して構成し、ベースシート１４上に固着する固着部分２０に、機器を横置きして寝かせた状態で載置する載置面とその載置面上の機器を滑らせて機器起立面上に案内する案内面２４を形成する。また、その案内面２４上に位置して固着部分２０にはめ付けて着脱自在に着脱部分２２を設ける。【選択図】図１
2006036291.tif 000002
【特許請求の範囲】
【請求項１】
パレットと、そのパレット上に設けるベースシートと、そのベースシート上に設ける緩衝材とを備え、
前記緩衝材を介して前記ベースシート上に載せて機器を前記パレット上に載置する梱包用パレット体において、
前記緩衝材を、固着部分と着脱部分とに分割して構成し、
前記ベースシート上に固着する前記固着部分に、機器を横置きして載置する載置面とその載置面上の機器を滑らせて機器起立面上に案内する案内面を形成するとともに、
その案内面上に位置して前記固着部分に着脱自在に前記着脱部分を設けることを特徴とする、梱包用パレット体。
【請求項２】
前記案内面上を滑らせて機器を移動するとき、その移動方向と直交する、前記案内面の両端の前記固着部分に、機器をガイドするガイド突部を形成することを特徴とする、請求項１に記載の梱包用パレット体。
【請求項３】
前記案内面上を滑らせて機器を移動するときの、その移動方向と直交する方向の全域にわたり前記固着部分に前記案内面を形成することを特徴とする、請求項１に記載の梱包用パレット体。
【請求項４】
前記案内面を、前記緩衝材の載置面から前記ベースシートのフラップに向けて漸次低く傾斜するように形成することを特徴とする、請求項１ないし３のいずれか１に記載の梱包用パレット体。
【請求項５】
前記固着部分から取り外した前記着脱部分を、前記ベースシートのフラップと前記機器起立面との間に入れたとき、互いに嵌合する嵌合部分を前記フラップと前記着脱部分の双方に形成することを特徴とする、請求項１ないし４のいずれか１に記載の梱包用パレット体。
【請求項６】
請求項１ないし５のいずれか１に記載の梱包用パレット体と、前記緩衝材の載置面上に載置してその梱包用パレット体上に載せた機器を被って前記ベースシートのフラップに連結する外箱とを備えることを特徴とする、梱包装置。
【発明の詳細な説明】
【技術分野】
【０００１】
この発明は、複写機などの比較的重量のある大型の機器を梱包する梱包装置に関する。そのうち特に、キャスタ付きの機器を梱包するのに適する梱包装置に関する。および、そのような梱包装置において、パレットと、そのパレット上に設けるベースシートと、そのベースシート上に設ける緩衝材とを備え、緩衝材を介してベースシート上に載せ、機器をパレット上に載置する梱包用パレット体に関する。
【背景技術】
【０００２】
従来、キャスタ付きの機器を梱包する梱包装置の中には、例えば図１４に示すように、パレット１上に３つの緩衝材２、３、４を取り付け、そのうちの１つの緩衝材４をテーパ面Ｔで上下に分割して上部４ａと下部４ｂとで構成する梱包用パレット体５を用いるものがある。そして、２つの緩衝材２、４で機器６の端部を受け、１つの緩衝材３で機器６の中央部を受けて緩衝材２、３、４を介してパレット１上に機器６を取り付け、梱包用パレット体５で支持するようにしていた。
【０００３】
梱包を解いて機器６を設置するときには、まずテーパ面Ｔに沿ってスライドして上部４ａを引き抜き、機器６の重量の多くが中央の緩衝材３にかかっているところで今度は続けて下部４ｂを引き抜く。それから、中央の緩衝材３を中心として機器６を傾け、一側のキャスタ７を接地した状態として機器６を他側の緩衝材２から浮かせ、他側の緩衝材２を引き抜くか、その状態で機器６を少し移動して他側の緩衝材２を外す。最後に、一側のキャスタ７を支点として他側のキャスタ８側をさらに大きく浮かせることにより、中央の緩衝材３を取り払う。
【０００４】
図１４に示す従来例では、このように１つの緩衝材４をテーパ面Ｔで上下に分割して上部４ａと下部４ｂとで構成するとともに、機器６の中央にも緩衝材３を設けて一時的に機器６を支持することにより、大きな労力を必要とせず開梱作業を容易としていた。
【０００５】
【特許文献１】実開平５−４６７７８号公報
【発明の開示】
【発明が解決しようとする課題】
【０００６】
上述した従来例は、機器６を起立状態で梱包するものである。しかし、機器によっては、梱包後の保管時や搬送時等における安定性や利便性などから、寝かせて横置き状態で梱包した方が好ましい場合もある。ところが、上述した従来例では、横置き状態で梱包する場合については、まったく考慮していなかった。
【０００７】
そこで、この発明の第１の目的は、機器を横置き状態で梱包する場合において、開梱作業を容易とする梱包用パレット体を提供することにある。
【０００８】
この発明の第２の目的は、横置き状態にある機器を移動するときの機器の横振れを規制して作業性を高め、開梱作業を一層容易とする梱包用パレット体を提供することにある。
【０００９】
この発明の第３の目的は、横置き状態にある機器を起立するときの機器の立ち上げ作業性を向上して開梱作業を一層容易とする梱包用パレット体を提供することにある。
【００１０】
この発明の第４の目的は、横置き状態にある機器を移動するとき重力に基づき機器を自然に移動して開梱作業を一層容易とする梱包用パレット体を提供することにある。
【００１１】
この発明の第５の目的は、横置き状態にある機器を移動するとき機器が受ける衝撃を少なくして開梱作業を一層容易とする梱包用パレット体を提供することにある。
【００１２】
この発明の第６の目的は、機器を横置き状態で梱包する場合において、開梱作業を容易とする梱包装置を提供することにある。
【課題を解決するための手段】
【００１３】
そのため、請求項１に記載の発明は、上述した第１の目的を達成すべく、
機器の運搬を容易とすべく用いるパレットと、そのパレット上に設けるベースシートと、そのベースシート上に設ける通常複数の緩衝材とを備え、
緩衝材を介してベースシート上に載せて複写機等の機器をパレット上に載置する、
梱包装置を構成する梱包用パレット体において、
少なくとも１つの緩衝材を、固着部分と着脱部分とに分割して構成し、
ベースシート上に固着する固着部分に、機器を横置きして寝かせた状態で載置する載置面とその載置面上の機器を滑らせて機器起立面上に案内する案内面を形成するとともに、
その案内面上に位置して固着部分に着脱自在に着脱部分を設ける、
ことを特徴とする。
【００１４】
そして、梱包を解いて機器を設置するとき、緩衝材の固着部分から着脱部分を取り外して案内面を露出し、載置面上に横置きして載置する機器をずらせ、その案内面に沿って滑らせて機器起立面上に案内し、その機器起立面上で引き起こして機器を起立する。
【００１５】
請求項２に記載の発明は、上述した第２の目的を達成すべく、請求項１に記載の梱包用パレット体において、案内面上を滑らせて機器を移動するとき、その移動方向と直交する、案内面の両端の固着部分に、機器をガイドするガイド突部を形成する、ことを特徴とする。そして、案内面上を滑らせて機器を移動するとき、ガイド突部でガイドする。
【００１６】
請求項３に記載の発明は、上述した第３の目的を達成すべく、請求項１に記載の梱包用パレット体において、案内面上を滑らせて機器を移動するときの、その移動方向と直交する方向の全域にわたり固着部分に案内面を形成する、ことを特徴とする。そして、案内面上を滑らせて機器を移動するとき、例えば機器を持って両側から支えるようにする。
【００１７】
請求項４に記載の発明は、上述した第４の目的を達成すべく、請求項１ないし３のいずれか１に記載の梱包用パレット体において、案内面を、緩衝材の載置面からベースシートのフラップに向けて漸次低く傾斜するように形成する、ことを特徴とする。そして、案内面上を滑らせて機器を移動するとき、機器を案内面の傾斜にしたがい滑らせて機器起立面上に案内する。
【００１８】
請求項５に記載の発明は、上述した第５の目的を達成すべく、請求項１ないし４のいずれか１に記載の梱包用パレット体において、固着部分から取り外した着脱部分を、ベースシートのフラップと機器起立面との間に入れたとき、互いに嵌合する嵌合部分をフラップと着脱部分の双方に形成する、ことを特徴とする。そして、機器を案内面上からフラップ上に移動したとき、フラップと機器起立面との間に入れた緩衝材の着脱部分で緩衝して衝撃を吸収する。
【００１９】
請求項６に記載の発明は、上述した第６の目的を達成すべく、梱包装置において、請求項１ないし５のいずれか１に記載の発明の梱包用パレット体と、緩衝材の載置面上に載置してその梱包用パレット体上に載せた機器を被ってベースシートのフラップに連結する外箱とを備える、ことを特徴とする。
【００２０】
そして、梱包を解いて機器を設置するとき、ベースシートのフラップに対する連結を解除して外箱を取り外して後、緩衝材の固着部分から着脱部分を取り外して案内面を露出し、載置面上に横置きして載置する機器をずらせ、その案内面で滑らせて機器起立面上に案内し、その機器起立面上で引き起こして機器を起立する。
【発明の効果】
【００２１】
したがって、請求項１に記載の発明によれば、梱包を解いて機器を設置するとき、緩衝材の固着部分から着脱部分を取り外し、載置面上に横置きして載置する機器を案内面に沿って滑らせて機器起立面上に案内し、その機器起立面上に起立するので、載置面上に横置きして載置する機器を案内面に沿って滑らせて機器起立面上に移動し、その機器起立面で引き起して起立するだけでよく、機器を高く持ち上げる必要がないから労力を軽減し、開梱作業を容易とする梱包用パレット体を提供することができる。
【００２２】
請求項２に記載の発明によれば、案内面上を滑らせて機器を移動するとき、ガイド突部でガイドするので、横置き状態にある機器を移動するときの機器の横振れをガイド突部で規制して作業性を高め、労力を軽減して開梱作業を一層容易とする梱包用パレット体を提供することができる。
【００２３】
請求項３に記載の発明によれば、案内面上を滑らせて機器を移動するときの、その移動方向と直交する方向の全域にわたり固着部分に案内面を形成するので、機器を両側から持って支えることを可能とし、横置き状態にある機器を起立するときの機器の立ち上げ作業性を向上し、労力を軽減して開梱作業を一層容易とする梱包用パレット体を提供することができる。また、案内面上を滑らせて機器を移動するときの、その移動方向と直交する方向の全域にわたり固着部分に案内面を形成するので、機器が引っかかる部分をなくしてその点からも開梱作業を容易とする梱包用パレット体を提供することができる。
【００２４】
請求項４に記載の発明によれば、案内面上を滑らせて機器を移動するとき、機器を案内面の傾斜にしたがい滑らせて機器起立面上に案内するので、横置き状態にある機器を移動するとき案内面の傾斜にしたがい重力に基づき機器を自然に移動し、また案内面の傾斜にしたがい自然に機器を立ち上げ、労力を軽減して開梱作業を一層容易とする梱包用パレット体を提供することができる。
【００２５】
請求項５に記載の発明によれば、機器を案内面上からフラップ上に移動したとき、フラップと機器起立面との間に入れた緩衝材の着脱部分で支えて緩衝するので、取り外した着脱部分を二次的に利用し、横置き状態にある機器を移動するとき機器が受ける衝撃を少なくし、開梱作業を一層容易とする梱包用パレット体を提供することができる。
【００２６】
請求項６に記載の発明によれば、梱包を解いて機器を設置するとき、ベースシートのフラップに対する連結を解除して外箱を取り外して後、緩衝材の固着部分から着脱部分を取り外し、載置面上に横置きして載置する機器を案内面で滑らせて機器起立面上に案内し、その機器起立面上に起立するので、載置面上に横置きして載置する機器を案内面に沿って滑らせて機器起立面上に移動し、その機器起立面で引き起して起立するだけでよく、労力を軽減して開梱作業を容易とする梱包装置を提供することができる。
【発明を実施するための最良の形態】
【００２７】
以下、図面を参照しつつ、この発明の実施の最良形態につき説明する。
図１には、この発明による梱包用パレット体上に機器を載置した状態を斜め上から見て示す。図２には、それに外箱を被せて機器を梱包した、この発明による梱包装置を用いた梱包状態を斜め上から見て示す。
【００２８】
図において、符号１０は、梱包用パレット体である。梱包用パレット体１０には、パレット１２と、ベースシート１４と、図示例では２つの緩衝材１６・１７とを備える。
【００２９】
パレット１２は、機器の運搬を容易とすべく用いる通常の荷役運搬用のもので、例えばフォークリフトなどのフォークを差し込んで持ち上げて走行し、梱包用パレット体１０上に載せた複写機・ファクシミリ・プリンタ・コンピュータ等の機器５０を任意の場所へと運搬可能とする。
【００３０】
ベースシート１４は、機器梱包用として用いるもので、周囲四辺にフラップ１５ａ・１５ｂ・１５ｃ・１５ｄを突出して開閉自在に備え、パレット１２上に接着等により固着して設ける。
【００３１】
２つの緩衝材１６・１７は、それぞれベースシート１４の２つの短辺に沿って配置してベースシート１４上に固着して設け、各々に機器５０が緩みなくはまり込む嵌合凹部１８を形成する。そして、２つのうち一方の緩衝材１６は、ベースシート１４上に固着する固着部分２０と、その固着部分２０にはめ付けて着脱自在に設ける着脱部分２２とに上下に分割して構成する。
【００３２】
固着部分２０には、図３にも示すとおり、嵌合凹部１８内に位置して機器５０を横置きして寝かせた状態で載置する載置面２３と、その載置面２３上の機器５０を滑らせてパレット１２まわりの機器起立面４０上に案内する案内面２４を形成する。案内面２４は、緩衝材１６の載置面２３からベースシート１４の１つのフラップ１５ａに向けて漸次低く傾斜するように形成する。そして、案内面２４上を滑らせて機器５０を移動するとき、その移動方向と直交する、案内面２４の両端の固着部分２０に、それぞれ機器５０をガイドするガイド突部２５を上向きに突出して形成する。
【００３３】
他方、着脱部分２２は、その案内面２４上に位置して固着部分２０のガイド突部２５間にはめ込んで固着部分２０に着脱自在に設ける。着脱部分２２には、凹状に凹ませて機器５０のキャスタ５１を逃げる逃げ２６を形成する。
【００３４】
梱包用パレット体１０には、複写機等の機器５０を寝かせて横置きし、緩衝材１６・１７の嵌合凹部１８にそれぞれはめ付けて載置面２３上に載置し、緩衝材１６・１７を介してベースシート１４上に載せてパレット１２上に設置する。このとき、逃げ２６で逃げて、機器５０の底面に取り付けるキャスタ５１が着脱部分２２に当たらないようになっている。
【００３５】
梱包用パレット体１０上に取り付けた機器５０には、図２に示すように外箱３０を被せ、複数のジョイント３１で公知のとおりベースシート１４のフラップ１５ｃ・１５ｄに連結する。外箱３０内には、図示例では４隅に緩衝材３３・３４・３５・３６を固着し、それらの緩衝材を介して機器５０を上から押さえるようにする。このようにして、梱包用パレット体１０と外箱３０とで構成する梱包装置で機器５０を梱包する。
【００３６】
いま、梱包を解いて機器５０を機器起立面４０上に設置するときは、まずジョイント３１を外して連結を解除し、外箱３０を取り除く。それから、図４に示すように、緩衝材１６の固着部分２０から着脱部分２２を取り外し、案内面２４を露出する。その後、図５に示すように載置面２３上に横置きして載置する機器５０を矢印ａ方向に若干持ち上げて矢印ｂ方向に水平に移動し、図６に示すように矢印ｃ方向に回動して案内面２４上に載せてガイド突部２５でガイドし、案内面２４に沿ってその案内面２４の傾斜にしたがい矢印ｄ方向に滑らせ、図７に示すようにフラップ１５ａ上を通して機器起立面４０上に案内して機器起立面４０上にキャスタ５１を接地し、最後に矢印ｅ方向に引き起こして図８に示すようにその機器起立面４０上でキャスタ５１を介して機器５０を起立する。
【００３７】
このようにするので、梱包を解いて機器５０を設置するとき、載置面２３上に横置きして載置する機器５０を案内面２４に沿って滑らせて機器起立面４０上に移動し、その機器起立面４０で引き起して起立するだけでよく、機器５０を高く持ち上げる必要がないから労力を軽減し、開梱作業を容易とすることができる。
【００３８】
また、案内面２４上を滑らせて機器５０を移動するとき、ガイド突部２５で案内するので、横置き状態にある機器５０を移動するときの機器５０の横振れをガイド突部２５で規制して作業性を高め、労力を軽減して開梱作業を一層容易とすることができる。
【００３９】
さらに、案内面２４上を滑らせて機器５０を移動するとき、機器５０を案内面２４の傾斜にしたがい滑らせて機器起立面４０上に案内するので、横置き状態にある機器５０を移動するとき案内面２４の傾斜にしたがい重力に基づき機器５０を自然に移動し、また案内面２４の傾斜にしたがい自然に機器５０を立ち上げ、労力を軽減して開梱作業を一層容易とすることができる。
【００４０】
ところで、上述した例では、案内面２４上を滑らせて機器５０を移動するとき、その移動方向ｄと直交する、案内面２４の両端の固着部分２０に、機器５０をガイドするガイド突部２５を形成した。しかし、図９および図１０に示すように、その移動方向ｄと直交する方向の全域にわたり固着部分２０に案内面２４を形成するようにしてもよい。すなわち、ガイド突部２５部分も着脱部分２２に設けて緩衝材１６の着脱部分２２の平面形状を嵌合凹部１８と逃げ２６とを有するほぼコ字状とし、固着部分２０上に、移動方向ｄと直交する方向の全域にわたり載置面２３と案内面２４を形成する。
【００４１】
このようにすると、ガイド突部２５がなくなるので、機器５０を両側から持って支えることができ、横置き状態にある機器５０を起立するときの機器５０の立ち上げ作業性を簡単とし、労力を軽減して開梱作業を一層容易とすることができる。また、案内面２４上を滑らせて機器５０を移動するとき、その移動方向ｄと直交する方向の全域にわたり固着部分２０に案内面２４を形成するので、機器５０が引っかかる部分をなくしてその点からも開梱作業を容易とすることができる。
【００４２】
また、上述した図１から図８に示す例において、ベースシート１４のフラップ１５ａに図１１に示すように孔状の嵌合部分４５を形成し、緩衝材１６の着脱部分２２に同じく同図に示すように突起状の嵌合部分４６を形成し、固着部分２０から取り外した着脱部分２２を、図１２に示すようにフラップ１５ａと機器起立面４０との間に入れたとき、孔状の嵌合部分４５に突起状の嵌合部分４６を入れて２つの嵌合部分４５・４６が互いに嵌合するようにする。
【００４３】
そして、機器５０を案内面２４上からフラップ１５ａ上に移動したとき、図１３に示すように、フラップ１５ａと機器起立面４０との間に入れた緩衝材１６の着脱部分２２を圧縮変形しながらそれで支えて緩衝し、取り外した着脱部分２２を二次的に利用することにより、横置き状態にある機器５０を移動するとき機器５０が受ける衝撃を少なくし、開梱作業を一層容易とすることができる。２つの嵌合部分４５・４６を互いに嵌合するので、着脱部分２２がフラップ１５ａから外れ出るおそれをなくすことができる。
【００４４】
なお、嵌合部分４５・４６は、互いに嵌合する孔状と突起状としたが、嵌合部分は、孔状と突起状を逆に設けてもよいし、孔状や突起状に限らず、互いに嵌合し得る形状であればよく、もちろん１つに限らず複数個所で嵌合するようにしてもよい。
【００４５】
さて、上述した例では、梱包用パレット体１０に２つの緩衝材１６・１７を設けたが、緩衝材は２つに限らず、３つ以上設けてもよいし、逆に一体で１つでもよい。緩衝材を複数設ける場合には、そのうちの１つに限らず、いくつかの緩衝材を、固着部分と着脱部分とに分割して構成してもよい。
【図面の簡単な説明】
【００４６】
【図１】この発明による梱包用パレット体上に機器を載置した状態を示す斜視図である。
【図２】それに外箱を被せて機器を梱包した、この発明による梱包装置の梱包状態を示す斜視図である。
【図３】その1つの緩衝材部分の縦断面図である。
【図４】その１つの緩衝材の着脱部分を取り外した状態を示す縦断面図である。
【図５】その緩衝材の固着部分の載置面上に横置きした機器をスライドする状態を示す縦断面図である。
【図６】引き続き機器をその緩衝材の固着部分の案内面上を滑らせる状態を示す縦断面図である。
【図７】機器を機器起立面上に接地した状態を示す縦断面図である。
【図８】その後、機器起立面上で機器を起立した状態を示す縦断面図である。
【図９】この発明の他例である梱包用パレット体の部分斜視図である。
【図１０】その梱包用パレット体に機器を載置する状態を示す部分斜視図である。
【図１１】この発明のさらに他例である梱包用パレット体の部分斜視図である。
【図１２】その１つの緩衝材の固着部分の載置面上に横置きした機器をスライドする状態を示す縦断面図である。
【図１３】スライドした機器がベースシートのフラップ上を移動する状態を示す縦断面図である。
【図１４】従来の梱包用パレット体上に機器を載置した状態の縦断面図である。
【符号の説明】
【００４７】
１０    梱包用パレット体
１２    パレット
１４    ベースシート
１５ａ  ベースシートのフラップ
１６    緩衝材
１７    緩衝材
１８    嵌合凹部
２０    固着部分
２２    着脱部分
２３    載置面
２４    案内面
２５    ガイド突部
２６    逃げ
３０    外箱
３１    ジョイント
４０    機器起立面
４５    嵌合部分
４６    嵌合部分
５０    機器
５１    キャスタ
【図１】
2006036291.tif 000003
【図２】
2006036291.tif 000004
【図３】
2006036291.tif 000005
【図４】
2006036291.tif 000006
【図５】
2006036291.tif 000007
【図６】
2006036291.tif 000008
【図７】
2006036291.tif 000009
【図８】
2006036291.tif 000010
【図９】
2006036291.tif 000011
【図１０】
2006036291.tif 000012
【図１１】
2006036291.tif 000013
【図１２】
2006036291.tif 000014
【図１３】
2006036291.tif 000015
【図１４】
2006036291.tif 000016